(57)【要約】【課題】  従来の偏光層及びカラーフィルター層に取って代わって光効率を向上させる構造を有するディスプレイパネル及びディスプレイ装置を提供する。【解決手段】  本発明の実施例に係るディスプレイ装置の自発光ディスプレイパネルは、第１電極層と、第２電極層と、第２電極層の光出射面上に積層された基板と、第１電極層及び第２電極層間に介在しており、第１電極層及び第２電極層に印加される電圧により伝達された正孔及び電子によって光を生成する発光層と、基板及び第２電極層間に介在しており、発光層から発されて基板を通して出射される出射光を偏光フィルタリングするように所定間隔のピッチで配列された線形格子を有する線形格子層と、を備える。【選択図】      図２
2014099396.tif 000002
【特許請求の範囲】
【請求項１】
ディスプレイ装置の自発光ディスプレイパネルであって、
第１電極層と、
第２電極層と、
前記第２電極層の光出射面上に積層された基板と、
前記第１電極層及び前記第２電極層間に介在しており、前記第１電極層及び前記第２電極層に印加される電圧により伝達された正孔及び電子によって光を生成する発光層と、
前記基板及び前記第２電極層間に介在しており、前記発光層から発されて前記基板を通して出射される出射光を偏光フィルタリングするように所定間隔のピッチで配列された線形格子を有する線形格子層と、
を備えることを特徴とする自発光ディスプレイパネル。
【請求項２】
前記線形格子層は、前記出射光のうち、既に設定された偏光方向の光を透過させるようにフィルタリングし、前記線形格子層の延長方向は、前記偏光方向によって決定されることを特徴とする、請求項１に記載の自発光ディスプレイパネル。
【請求項３】
前記ディスプレイパネルの各ピクセルは、複数のカラーにそれぞれ対応する複数のサブピクセルを有し、
前記線形格子層は、前記複数のサブピクセルのそれぞれに対して各カラー別の光を出射するように前記出射光をフィルタリングすることを特徴とする、請求項２に記載の自発光ディスプレイパネル。
【請求項４】
前記線形格子のピッチ間隔は、前記カラーの波長に対応するように前記各サブピクセル別に異なるように設定されたことを特徴とする、請求項３に記載の自発光ディスプレイパネル。
【請求項５】
前記線形格子は、ＲＧＢカラーの前記複数のサブピクセルにそれぞれ対応する、レッド（ｒｅｄ）線形格子、グリーン（ｇｒｅｅｎ）線形格子及びブルー（ｂｌｕｅ）線形格子を有し、
前記グリーン線形格子のピッチ間隔は、前記レッド線形格子のピッチ間隔よりも小さく、前記ブルー線形格子のピッチ間隔よりも大きく設定されたことを特徴とする、請求項３に記載の自発光ディスプレイパネル。
【請求項６】
前記線形格子は、前記出射光の進行方向に沿って、金属層及び絶縁層のうち少なくとも一方が積層して形成されたことを特徴とする、請求項１に記載の自発光ディスプレイパネル。
【請求項７】
前記第１電極層及び前記発光層間に介在しており、前記電子を伝達する電子輸送層と、
前記第２電極層及び前記発光層間に介在しており、前記正孔を伝達する正孔輸送層と、をさらに備え、
前記発光層は、前記電子輸送層から伝達された前記電子及び前記正孔輸送層から伝達された前記正孔によって光を生成することを特徴とする、請求項１に記載の自発光ディスプレイパネル。
【請求項８】
映像信号を受信する信号受信部と、
前記信号受信部に受信された前記映像信号を、既に設定された映像処理プロセスにしたがって処理する信号処理部と、
前記信号処理部により処理された映像信号を映像として表示する請求項１乃至７のいずれかに記載の自発光ディスプレイパネルと、
を備えることを特徴とするディスプレイ装置。
【発明の詳細な説明】
【技術分野】
【０００１】
本発明は、板面上に映像を表示するディスプレイパネル及びこれを有するディスプレイ装置に係り、特に、光を提供する別途のバックライトユニット構造を有するのではなく、自体生成する光によって映像を表示する方式のパネルにおいて、光を偏光フィルタリングし、所望のカラーの光に変換する構造を改善した自発光ディスプレイパネル及びこれを有するディスプレイ装置に関する。
【背景技術】
【０００２】
ディスプレイ装置は、映像を表示するディスプレイパネルを備えて放送信号又は様々なフォーマットの映像信号／映像データを表示できる装置で、ＴＶ又はモニターなどが挙げられる。ディスプレイパネルは、その特性によって、液晶パネル、プラズマパネルなどの様々な構成のものがあり、各種のディスプレイ装置に適用されている。
【０００３】
ディスプレイ装置に備えられるディスプレイパネルは、光の生成方式によって、受光パネル構造と自発光パネル構造とに分類可能である。受光パネル構造は、パネルが自ら発光しないため、光を生成してパネルに供給する別途のバックライト（ｂａｃｋｌｉｇｈｔ）構成を有するもので、液晶パネルが挙げられる。自発光パネル構造は、パネルが自ら発光するため、別途のバックライト構成を必要としないもので、有機発光ダイオード（ｏｒｇａｎｉｃ  ｌｉｇｈｔ  ｅｍｉｔｔｉｎｇ  ｄｉｏｄｅ、ＯＬＥＤ）パネルが挙げられる。
【０００４】
かかる自発光構造のディスプレイパネルは、パネルから発される出射光を偏光フィルタリングする偏光層、及び出射光をＲＧＢカラーにそれぞれ変換させるカラーフィルター層を有している。しかしながら、このような偏光層及びカラーフィルター層は光の反射率／吸収率が高いため、パネル全体の光効率が低下する。特に、カラーフィルター層はＲＧＢの染料層を有しているが、各カラーの染料層は、必要な波長領域の光のみを透過させ、その他の波長領域の光は反射又は吸収するから、光効率を低下させる大きな原因となっている。
【発明の概要】
【発明が解決しようとする課題】
【０００５】
本発明は上記の問題点に鑑みてなされたもので、その目的は、従来の偏光層及びカラーフィルター層に取って代わって光効率を向上させる構造を有するディスプレイパネル及びディスプレイ装置を提供することにある。
【課題を解決するための手段】
【０００６】
本発明の実施例に係るディスプレイ装置の自発光ディスプレイパネルは、第１電極層と、第２電極層と、前記第２電極層の光出射面上に積層された基板と、前記第１電極層及び前記第２電極層間に介在しており、前記第１電極層及び前記第２電極層に印加される電圧により伝達された正孔及び電子によって光を生成する発光層と、前記基板及び前記第２電極層間に介在しており、前記発光層から発されて前記基板を通して出射される出射光を偏光フィルタリングするように所定間隔のピッチ（ｐｉｔｃｈ）で配列された線形格子を有する線形格子層と、を備えることを特徴とする。
【０００７】
ここで、前記線形格子層は、前記出射光のうち、既に設定された偏光方向の光を透過させるようにフィルタリングし、前記線形格子層の延長方向は、前記偏光方向によって決定されるとよい。
【０００８】
ここで、前記ディスプレイパネルの各ピクセルは、複数のカラーにそれぞれ対応する複数のサブピクセルを有し、前記線形格子層は、前記複数のサブピクセルのそれぞれに対して各カラー別の光を出射するように前記出射光をフィルタリングするとよい。
【０００９】
ここで、前記線形格子のピッチ間隔は、前記カラーの波長に対応するように前記各サブピクセル別に異なるように設定されるとよい。
【００１０】
また、前記線形格子は、ＲＧＢカラーの前記複数のサブピクセルにそれぞれ対応する、レッド（ｒｅｄ）線形格子、グリーン（ｇｒｅｅｎ）線形格子及びブルー（ｂｌｕｅ）線形格子を有し、前記グリーン線形格子のピッチ間隔は、前記レッド線形格子のピッチ間隔よりも小さく、前記ブルー線形格子のピッチ間隔よりも大きく設定されるとよい。
【００１１】
また、前記線形格子は、前記出射光の進行方向に沿って、金属層及び絶縁層のうち少なくとも一方が積層して形成されるとよい。
【００１２】
また、前記自発光ディスプレイパネルは、前記第１電極層及び前記発光層間に介在しており、前記電子を伝達する電子輸送層と、前記第２電極層及び前記発光層間に介在しており、前記正孔を伝達する正孔輸送層と、をさらに備えてもよく、前記発光層は、前記電子輸送層から伝達された前記電子及び前記正孔輸送層から伝達された前記正孔によって光を生成するとよい。
【００１３】
また、本発明の実施例に係るディスプレイ装置は、映像信号を受信する信号受信部と、前記信号受信部に受信された前記映像信号を、既に設定された映像処理プロセスにしたがって処理する信号処理部と、前記信号処理部により処理された映像信号を映像として表示する、上記の構造による自発光ディスプレイパネルと、を備えることを特徴とする。
【発明の効果】
【００１４】
本発明によれば、ディスプレイパネルの光効率を向上させることが可能になる。
【図面の簡単な説明】
【００１５】
【図１】一実施例に係るディスプレイ装置の構成ブロック図である。
【図２】図１のディスプレイ装置におけるディスプレイパネルの積層構造を示す側断面図である。
【図３】図２のディスプレイパネルにおける線形格子層の要部斜視図である。
【図４】図３の線形格子層の積層構造を示す側断面図である。
【図５】図３の線形格子層の積層構造を示す側断面図である。
【図６】図３の線形格子層の積層構造を示す側断面図である。
【図７】図２のディスプレイパネルの各ピクセルに対するカラー別サブピクセルを示す例示図である。
【図８】図３の線形格子層において各サブピクセルに対応する線形格子の構造を示す平面図である。
【図９】図３の線形格子層を製造する過程を示す例示図である。
【図１０】図３の線形格子層を製造する過程を示す例示図である。
【図１１】図３の線形格子層を製造する過程を示す例示図である。
【図１２】図３の線形格子層を製造する過程を示す例示図である。
【図１３】図３の線形格子層を製造する過程を示す例示図である。
【図１４】図３の線形格子層を製造する過程を示す例示図である。
【発明を実施するための形態】
【００１６】
以下、添付の図面を参照して本発明について詳細に説明する。以下の実施例では、本発明の思想と直接関連している構成についてのみ説明し、その他の構成については説明を省略する。ただし、説明の省略されたそれらの構成が、本発明の思想が適用された装置またはシステムの具現において不要であるということを意味するわけでない。
【００１７】
図１は、一実施例に係るディスプレイ装置１の構成ブロック図である。図１に示すように、ディスプレイ装置１は、映像信号を受信する信号受信部１００と、信号受信部１００に受信された映像信号を、既に設定された映像処理プロセスにしたがって処理する信号処理部２００と、信号処理部２００で処理された映像信号を映像として表示するディスプレイパネル３００と、を備えている。
【００１８】
本実施例に係るディスプレイ装置１はＴＶとしてもよいが、本発明の思想を実現可能なディスプレイ装置１の具現例は、ＴＶに限らない。例えば、本発明の思想は、外部から供給されたり又は自体内蔵している映像信号／映像データに基づく映像を表示できるいかなる方式のディスプレイ装置（例えば、モニター、携帯用メディアプレーヤー、モバイルフォンなど）にも適用可能である。
【００１９】
信号受信部１００は、映像信号／映像データを受信して信号処理部２００に伝達する。信号受信部１００は、受信する映像信号の規格及びディスプレイ装置１の形態に対応して種々の方式で構成すればよい。例えば、信号受信部１００は、放送局（図示せず）から送出されるＲＦ（ｒａｄｉｏ  ｆｒｅｑｕｅｎｃｙ）信号を無線で受信してもよく、コンポジット（ｃｏｍｐｏｓｉｔｅ）ビデオ、コンポーネント（ｃｏｍｐｏｎｅｎｔ）ビデオ、スーパービデオ（ｓｕｐｅｒｖｉｄｅｏ）、ＳＣＡＲＴ、ＨＤＭＩ（登録商標（ｈｉｇｈ  ｄｅｆｉｎｉｔｉｏｎ  ｍｕｌｔｉｍｅｄｉａ  ｉｎｔｅｒｆａｃｅ））、ディスプレイポート（ＤｉｓｐｌａｙＰｏｒｔ）、ＵＤＩ（ｕｎｉｆｉｅｄ  ｄｉｓｐｌａｙ  ｉｎｔｅｒｆａｃｅ）、又はワイヤレス（ｗｉｒｅｌｅｓｓ  ＨＤ）規格などによる映像信号を有線で受信してもよい。信号受信部１００は、映像信号が放送信号であれば、この放送信号をチャンネル別にチューニングするチューナー（ｔｕｎｅｒ）を備える。又は、信号受信部１００は、ネットワークを介してサーバー（図示せず）から映像データパケットを受信してもよい。
【００２０】
信号処理部２００は、信号受信部１００に受信された映像信号に対して様々な映像処理プロセスを行う。信号処理部２００は、このようなプロセスを行った映像信号をディスプレイパネル３００に出力することによって、当該映像信号に基づく映像がディスプレイパネル３００に表示されるようにする。
【００２１】
信号処理部２００が行う映像処理プロセスの種類は限定されないが、例えば、映像データの映像フォーマットに対応するデコーディング（ｄｅｃｏｄｉｎｇ）、インターレース（ｉｎｔｅｒｌａｃｅ）方式の映像データをプログレッシブ（ｐｒｏｇｒｅｓｓｉｖｅ）方式に変換するデインターレーシング（ｄｅ−ｉｎｔｅｒｌａｃｉｎｇ）、映像データを既に設定された解像度に調整するスケーリング（ｓｃａｌｉｎｇ）、映像画質の改善のためのノイズ低減（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換などが挙げられる。
【００２２】
信号処理部２００は、このような種々の機能を統合させたＳＯＣ（ｓｙｓｔｅｍ−ｏｎ−ｃｈｉｐ）、又は上記各プロセスを独自に行える個別の構成が印刷回路基板上に装着されてなる映像処理ボード（図示せず）で構成されて、ディスプレイ装置１に内蔵される。
【００２３】
ディスプレイパネル３００は、信号処理部２００から出力される映像信号に基づいて映像を表示する。本実施例に係るディスプレイパネル３００は、液晶パネルのような非自発光のパネル構造ではなく、自発光するパネル構造を有する。例えば、ディスプレイパネル３００は、有機発光ダイオード（ｏｒｇａｎｉｃ  ｌｉｇｈｔ  ｅｍｉｔｔｉｎｇ  ｄｉｏｄｅ、ＯＬＥＤ）パネルとすればよい。
【００２４】
以下、本実施例に係るディスプレイパネル３００の構造について、図２を参照して説明する。
【００２５】
図２は、ディスプレイパネル３００の積層構造を概略的に示す側断面図である。図２に示すように、ディスプレイパネル３００は、第１電極層３１０と、第１電極層３１０と向かい合って配置されている第２電極層３２０と、第１電極層３１０及び第２電極層３２０間に介在している発光層３３０と、第１電極層３１０及び発光層３３０間に介在している電子輸送層３４０と、発光層３３０及び第２電極層３２０間に介在している正孔輸送層３５０と、第２電極層３２０の光出射面上に積層された基板３６０と、基板３６０及び第２電極層３２０間に介在している線形格子層３７０と、を備えている。
【００２６】
以下の説明において上部／上側及び下部／下側という表現は、ディスプレイパネル３００から出射される出射光の進行方向に沿って構成要素同士の相対的な配置又は積層関係を表すためのものである。例えば、ディスプレイパネル３００で生成された光がディスプレイパネル３００の上側に出射されると表現したとき、ディスプレイパネル３００は、第１電極層３１０の上側に電子輸送層３４０、発光層３３０、正孔輸送層３５０、第２電極層３２０、線形格子層３７０、基板３６０が順次に積層された構造を有する。
【００２７】
以下、ディスプレイパネル３００で光が生成される構造について説明する。
【００２８】
第１電極層３１０及び第２電極層３２０はそれぞれ、カソード（ｃａｔｈｏｄｅ）及びアノード（ａｎｏｄｅ）層になっている。第１電極層３１０及び第２電極層３２０のそれぞれに対して負（−）及び正（＋）の電圧が印加されることによって、第１電極層３１０で電子が発生し、第２電極層３２０で正孔が発生する。電子輸送層３４０は、第１電極層３１０の電子を発光層３３０に伝達し、正孔輸送層３５０は、第２電極層３２０の正孔を発光層３３０に伝達する。
【００２９】
このように発光層３３０に伝達された電子及び正孔は発光層３３０においてエキシトン（ｅｘｉｔｏｎ）を形成する。エキシトンは、一つの単位となって非金属結晶内を自由に移動し得る、電子及び正孔の結合体である中性粒子のことを意味する。エキシトンは、励起状態から基底状態に変わる際に光を発生し、これにより、発光層３３０は光を生成して基板３６０に向かって出射する。
【００３０】
ここで、発光層３３０の発光効率を向上させるには、正孔及び電子の発生量又は伝送量を向上させればよい。そのために、ディスプレイパネル３００は、設計方式によって、第１電極層３１０及び電子輸送層３４０間に介在する電子注入層（ｅｌｅｃｔｒｏｎ  ｉｎｊｅｃｔｉｏｎ  ｌａｙｅｒ）（図示せず）と、正孔輸送層３５０及び第２電極層３２０間に介在する正孔注入層（ｈｏｌｅ  ｉｎｊｅｃｔｉｏｎ  ｌａｙｅｒ）（図示せず）をさらに備えてもよい。
【００３１】
発光層３３０は具現方式によって所望のカラーの光を発生すればよい。ただし、本実施例に係る発光層３３０は、ＲＧＢカラーの連続構造又は混合された有機物の使用により白色光を放出する。
【００３２】
以下、線形格子層３７０の構造について、図３を参照して説明する。
【００３３】
図３は、線形格子層３７０の要部斜視図である。図３に示すように、線形格子層３７０は、特定方向に延びたバー（ｂａｒ）形状の線形格子３７１が基板３６０上に配列されている。線形格子３７１は、既に設定された高さＨ、幅Ｗ及びピッチＰを有し、発光層３３０からの光が入射する基板３６０の板面上に形成される。
【００３４】
線形格子３７１のピッチＰを光の１／２に調節すると、回折派が形成されず、透過光及び反射光のみが存在する。隣接した線形格子３７１同士間にはスリット（ｓｌｉｔ）が形成され、入射光がこのスリットを通過しながら、線形格子３７１の延長方向に垂直な第１偏光方向に沿う第１偏光成分は線形格子層３７０を通過する。一方、線形格子３７１の延長方向に平行な第２偏光方向に沿う第２偏光成分は反射される。すなわち、このような線形格子３７１の構造により、線形格子層３７０を通過する光は第１偏光方向に偏光フィルタリングされる。
【００３５】
線形格子層３７０を通過しないで反射される光は、ディスプレイパネル３００の下側に別途の反射板（図示せず）を設けることによって、線形格子層３７０に向かって再反射させるとよい。再反射される光は上記の線形格子層３７０の構造により偏光フィルタリングされる過程を反復し、最終的には第１偏光方向の光としてディスプレイパネル３００から出射される。
【００３６】
線形格子層３７０は、基板３６０上に金属層を蒸着させ、ナノインプリントリソグラフィ（ｎａｎｏ  ｉｍｐｒｉｎｔ  ｌｉｔｈｏｇｒａｐｙ、ＮＩＬ）のような工程で線形格子３７１をパターニング（ｐａｔｔｅｒｎｉｎｇ）することで形成され、これにより、入射光の偏光方向が格子に平行な場合には反射される一方で、格子に垂直な場合には透過される。
【００３７】
図４乃至図６は、線形格子層３７０の積層構造を示す側断面図である。
【００３８】
図４を参照すると、線形格子層３７０は、基板３６０の下板面、すなわち、基板３６０の光入射面上に起立して形成された複数の線形格子３７１を有している。各線形格子３７１は、発光層３３０に向かって突出しており、基板３６０の下板面に第１金属層３７１ａ、絶縁層３７１ｂ、第２金属層３７１ｃが順次に積層されている。
【００３９】
第１金属層３７１ａ及び第２金属層３７１ｃは、外部刺激により電子が放出しやすくなるＡｕ、Ａｌ、Ｃｕ、Ａｇなどの金属材質を含み、絶縁層３７１ｂはＺｎＳｅ、ＴｉＱ２のような誘電体を含む。
【００４０】
又は、図５に示すように、線形格子３７１は、基板３６０下板面に順次に積層された絶縁層３７１ｄ及び金属層３７１ｅを備えてもよい。
【００４１】
又は、図６に示すように、線形格子層３７０は、基板３６０の下板面上に全体的にコーティングされた絶縁層３７１ｆと、その上に格子状に形成された金属層３７１ｇとを備えてもよい。
【００４２】
このように、線形格子層３７０の各線形格子３７１は様々な構造とすることが可能である。
【００４３】
ところが、本実施例によれば、発光層３３０は白色光を出射するから、ディスプレイパネル３００上にカラー映像を表示するには、ディスプレイパネル３００から出射される光がカラーフィルタリングされなければならない。
【００４４】
そこで、線形格子層３７０は、入射光を偏光フィルタリングする構造に加えて、入射光をカラーフィルタリングする構造をさらに有する。このような線形格子層３７０の構造について以下に説明する。
【００４５】
図７は、ディスプレイパネル３００の各ピクセル４１０に対するカラー別サブピクセル４１１，４１３，４１５を示す例示図である。図７に示すように、１つのピクセル４１０は、ＲＧＢの３つのカラーにそれぞれ対応する３つのサブピクセル４１１，４１３，４１５を有する。すなわち、ピクセル４１０は、レッド（ｒｅｄ）カラーの光出射領域に対応するレッドサブピクセル４１１と、グリーン（ｇｒｅｅｎ）カラーの光出射領域に対応するグリーンサブピクセル４１３と、ブルー（ｂｌｕｅ）カラーの光出射領域に対応するブルーサブピクセル４１５と、を有する。
【００４６】
線形格子３７１層は、図３のような構造を基本とするが、各カラー別サブピクセル４１１，４１３，４１５に対応して異なるピッチを有するように形成される。
【００４７】
図８は、図７の各サブピクセル４１１，４１３，４１５に対応する線形格子３７１Ｒ，３７１Ｇ，３７１Ｂの構造を示す平面図である。
【００４８】
図８に示すように、線形格子３７１Ｒ，３７１Ｇ，３７１Ｂは、レッドサブピクセル４１１の対応領域に形成されたレッド線形格子３７１Ｒと、グリーンサブピクセル４１３の対応領域に形成されたグリーン線形格子３７１Ｇと、ブルーサブピクセル４１５の対応領域に形成されたブルー線形格子３７１Ｂと、を有する。
【００４９】
各カラー別線形格子３７１Ｒ，３７１Ｇ，３７１ＢのピッチＰ１，Ｐ２，Ｐ３は、該当のカラーに対応する間隔を有するように設定される。例えば、レッド線形格子３７１ＲのピッチＰ１は、赤色光波長の１／２よりも小さく、グリーン線形格子３７１ＧのピッチＰ２は、緑色光波長の１／２よりも小さく、ブルー線形格子３７１ＢのピッチＰ３は青色光波長の１／２よりも小さくなるように設定される。このように、サブピクセル４１１，４１３，４１５別に線形格子３７１Ｒ，３７１Ｇ，３７１Ｂのピッチを異なるように設定すると、入射光の波長を調節することによってサブピクセル４１１，４１３，４１５ごとに異なったカラーの光を出射させることができる。
【００５０】
レッド線形格子３７１ＲのピッチＰ１は、赤色光波長の１／２よりも小さい約３３０〜３９０ｎｍであり、入射光は、レッド線形格子３７１Ｒを通過しながら第１偏光成分を持つ赤色光に分光される。グリーン線形格子３７１ＧのピッチＰ２は約２５０〜２９０ｎｍに、ブルー線形格子３７１ＢのピッチＰ３は約２２０〜２４０ｎｍに設定される。すなわち、線形格子１６１Ｒ，１６１Ｇ，１６１ＢのピッチＰ１，Ｐ２，Ｐ３はＲ、Ｇ、Ｂの順に小さくなる。これらの数値は、線形格子３７１Ｒ，３７１Ｇ，３７１Ｂが「金属層−絶縁層−金属層」の積層構造である場合（図４参照）に適用される。
【００５１】
ただし、このような数値関係は一例に過ぎず、特定の数値に本発明の思想が限定されるわけではない。もし、線形格子３７１Ｒ，３７１Ｇ，３７１Ｂが「絶縁層−金属層」の積層構造であると（図５又は図６参照）、レッド線形格子３７１ＲのピッチＰ１は４４０〜４００ｎｍ、グリーン線形格子３７１ＧのピッチＰ２は３４０〜３００ｎｍ、ブルー線形格子３７１ＢのピッチＰ３は２６０〜２２０ｎｍに設定される。このように、Ｐ１、Ｐ２及びＰ３の数値は線形格子３７１Ｒ，３７１Ｇ，３７１Ｂの構造にしたがって様々に設計変更すればよい。
【００５２】
一方、以上の実施例のような形態の線形格子構造を作るために、下記のような製造過程を適用すればよい。
【００５３】
図９乃至図１４は、線形格子を製造する過程を示す例示図である。
【００５４】
図９に示すように、マスター型５１０を製造する。マスター型５１０は、上板面上に、上述した実施例の線形格子構造が形成されたレジン（ｒｅｓｉｎ）系の型を指す。マスター型５１０を製造する方法としては様々なものがあり、例えば、平坦なガラス／プレート上に紫外線硬化性のレジン層を塗布した後、線形格子形状がパターニングされた円筒形の型をレジン層上で一定の方向に転がしたり、又は線形格子形状がパターニングされたプレート形の型でレジン層を加圧する。このような方法でレジン層に線形格子構造が形成されると、レジン層に紫外線を照射してレジン層を硬化させる。これで、レジンによるマスター型５１０が作られる。
【００５５】
続いて、マスター型５１０上にポリビニルアルコール（ｐｏｌｙｖｉｎｙｌ  ａｌｃｏｈｏｌ、ＰＶＡ）層５２０をコーティングする。ＰＶＡは、酢酸ビニル重合体を原料とし、酢酸基を水酸基に置き換えることで生成される物質であり、水酸基により水溶性の性質を有する。すなわち、ＰＶＡは、水に洗浄することで除去することができる。
【００５６】
その後、ＰＶＡ層５２０上に接着剤を塗布し、その上にキャリア５３０を積層する。キャリア５３０は、材質が限定されない平坦なプレートであればよい。
【００５７】
ＰＶＡ層５２０がキャリア５３０に接着されると、ＰＶＡ層５２０をマスター型５１０から分離することでＰＶＡ型５２０を作る。
【００５８】
図１０に示すように、分離されたＰＶＡ層５２０を上方にし、キャリア５３０を下方にする。そして、ＰＶＡ層５２０上にフォトレジスト（ｐｈｏｔｏｒｅｓｉｓｔ）層５４０をコーティングする。
【００５９】
これで、線形格子形成のための２次型が製造される。
【００６０】
一方で、図１１に示すように、ガラス６００上に、既に設定された格子用物質、例えば、絶縁層６１０及び金属層６２０を順次にコーティングする。ここで、ガラス６００は、ディスプレイパネル３００の基板３６０に相当する。この状態で、図１０に示したような２次型を金属層６２０上に積層する。
【００６１】
本実施例において、格子用物質は、絶縁層６１０及び金属層６２０を有するとしたが、設計方式によって、絶縁層６１０及び金属層６２０のいずれか一方のみを有してもよく、絶縁層６１０又は金属層６２０を２層以上有してもよい。
【００６２】
図１２に示すように、２次型（図１０参照）を金属層６２０上に積層する。この時、フォトレジスト層５４０が金属層６２０上に積層されるようにする。すなわち、２次型（図１０参照）をひっくり返して金属層６２０上に置く。この時、キャリア５３０（図１０参照）を除去してＰＶＡ層５２０が最上部に置かれるようにする。
【００６３】
続いて、水洗によりＰＶＡ層５２０を除去する。ＰＶＡは水溶性であるから、ＰＶＡ層５２０は水洗によりフォトレジスト層５４０から容易に除去される。
【００６４】
図１３に示すように、フォトレジスト層５４０が最上層に積層された状態でエッチング（ｅｔｃｈｉｎｇ）７００を行う。エッチング方法には、酸素又はアルゴンガスによるドライエッチングを含む様々な方式のものがある。
【００６５】
フォトレジスト層５４０は、相対的に厚い膜厚の領域５４１と薄い膜厚の領域５４２が交互に整列されており、エッチング７００により、薄い膜厚の領域５４２に対応する金属層６２０及び絶縁層６１０が侵食される。一方、厚い膜厚の領域５４１では、フォトレジスト層５４０による侵食の遅延により金属層６２０の侵食が防止される。
【００６６】
図１４に示すように、エッチングが完了すると、残余のフォトレジスト層５４０を除去し、これで、ガラス６００上に、絶縁層６１０及び金属層６２０からなる線形格子が完成する。
【００６７】
このような過程により、大型画面の線形格子を基板上に形成することができる。
【００６８】
以上の実施例は例示的なものに過ぎず、当該技術の分野における通常の知識を有する者にとっては様々な変形及び均等な他の実施例が可能である。したがって、本発明の真の技術的保護範囲は、下記の特許請求の範囲に記載された発明の技術的思想により定められるべきであろう。
【符号の説明】
【００６９】
１      ディスプレイ装置
１００  信号受信部
２００  信号処理部
３００  ディスプレイパネル
３１０  第１電極層
３２０  第２電極層
３３０  発光層
３４０  電子輸送層
３５０  正孔輸送層
３６０  基板
３７０  線形格子層
３７１  線形格子
【図１】
2014099396.tif 000003
【図２】
2014099396.tif 000004
【図３】
2014099396.tif 000005
【図４】
2014099396.tif 000006
【図５】
2014099396.tif 000007
【図６】
2014099396.tif 000008
【図７】
2014099396.tif 000009
【図８】
2014099396.tif 000010
【図９】
2014099396.tif 000011
【図１０】
2014099396.tif 000012
【図１１】
2014099396.tif 000013
【図１２】
2014099396.tif 000014
【図１３】
2014099396.tif 000015
【図１４】
2014099396.tif 000016